【事件の表示】
　平成　７年特許願第２２４５１６号「固体撮像装置」拒絶査定不服審判事件〔平成　９年　２月２５日出願公開、特開平　９−　５５８９０、請求項の数（５）〕について、次のとおり審決する。
【結　論】
　原査定を取り消す。
　本願の発明は、特許すべきものとする。
【理　由】
【第１】　経緯（手続き・査定の理由）
　
［１］　手続の概要
　本件出願は、平成７年８月１０日の出願であって、手続きの概要は以下の通りである。
　
　拒絶理由の通知　　　　：平成１７年１１月１８日（起案日）
　意見書　　　　　　　　：平成１８年１月２３日
　補正書（明細書の補正)　：平成１８年１月２３日
　拒絶査定　　　　　　　：平成１８年２月１０日（起案日）
　拒絶査定不服審判請求　：平成１８年３月１６日
　
［２］　査定の理由
　査定の理由は、概略、以下のとおりである。
　
　〈査定の理由〉
　本願各発明（請求項１〜５までに係る各発明）は、下記刊行物１に記載された発明および下記刊行物２に示されるような周知技術に基づいて当業者が容易に発明をすることができたものであるから、特許法第２９条第２項の規定により、特許を受けることができない。 
　
　　　　　　　　　　　　　記
　刊行物１：特開昭５９−６９７９３号公報
　刊行物２：特開平５−２３６３４４号公報
　
【第２】　本件出願に係る発明
　本件出願に係る発明は、上記平成１８年１月２３日付け補正書により補正された特許請求の範囲における下記の請求項１から５までの各記載事項によりそれぞれ特定される発明である。（以下、これら発明をまとめて「本願各発明」という。）
　
　　　　　　　　　　記（請求項１から５までの各記載事項）
「【請求項１】　２次元アレー状に配列された複数個の光電変換素子と、
　水平走査開始パルスの印加により列方向に前記光電変換素子の走査を開始し、水平駆動クロックの印加により列方向に順次前記光電変換素子の走査を実行し、走査終了後に水平走査終了パルスを出力する水平走査回路と、
　垂直走査開始パルスの印加により行方向に前記光電変換素子の走査を開始し、垂直駆動クロックの印加により行方向に順次前記光電変換素子の走査を実行し、走査終了後に垂直走査終了パルスを出力する垂直走査回路と、
　前記水平駆動クロックを発生する水平駆動クロック発生回路と、
　前記水平走査終了パルスの入力をもって水平ブランキング期間相当のカウント値のカウントを開始するカウンタと、
　前記カウンタのカウント値に基づき、前記水平走査開始パルスを生成する水平走査開始パルス発生回路と、
　前記水平駆動クロック発生回路から前記水平走査回路への前記水平駆動クロックの供給を、前記水平走査終了パルスの入力をもって停止させると共に、前記カウンタによるカウントが水平ブランキング期間相当のカウント値となったことをもって再開する水平イネーブル制御回路とを備えることを特徴とする固体撮像装置。
【請求項２】　前記カウンタのカウント値に基づき、前記垂直駆動クロックを発生する垂直駆動クロック発生回路を更に備えることを特徴とする請求項１記載の固体撮像装置。
【請求項３】　前記カウンタは、前記水平ブランキング期間相当のカウント値のカウント後、カウントを停止することを特徴とする請求項１又は２記載の固体撮像装置。
【請求項４】　前記垂直走査回路への前記垂直駆動クロックの供給を、前記垂直走査終了パルスの入力をもって停止する垂直イネーブル制御回路を更に備えることを特徴とする請求項１〜３のいずれか１項記載の固体撮像装置。
【請求項５】　前記水平イネーブル制御回路は、前記垂直走査終了パルスによって、前記水平駆動クロックの前記水平走査回路への供給を停止することを特徴とする請求項１〜４のいずれか１項記載の固体撮像装置。」
　
【第３】　判断
　
［１］本願各発明の主要構成
  上記請求項１から５までの各記載事項によれば、本願各発明は、いずれも下記の点（独立請求項である請求項１の記載事項参照）を主要な構成とするものであることが認められる。
　
　　　　　　　　　記（本願各発明の主要構成）
  固体撮像装置が、その水平走査回路として、水平走査開始パルスの印加により列方向に光電変換素子の走査を開始し、水平駆動クロックの印加により列方向に順次前記光電変換素子の走査を実行し、走査終了後に水平走査終了パルスを出力する水平走査回路を備えるものであることを前提に、該固体撮像装置に、
「前記水平走査終了パルスの入力をもって水平ブランキング期間相当のカウント値のカウントを開始するカウンタと、
　前記カウンタのカウント値に基づき、前記水平走査開始パルスを生成する水平走査開始パルス発生回路と、
　前記水平駆動クロック発生回路から前記水平走査回路への前記水平駆動クロックの供給を、前記水平走査終了パルスの入力をもって停止させると共に、前記カウンタによるカウントが水平ブランキング期間相当のカウント値となったことをもって再開する水平イネーブル制御回路」とを設けた点。
　
［２］査定の理由について
　
［２−１］引用刊行物との対比、判断
  上記の主要構成を備える本願各発明と、査定で引用された前記刊行物１，刊行物２（前記査定の理由でいう周知技術）とを対比してみると、これら刊行物には、そのいずれにも、本願各発明の上記主要構成を開示もしくは示唆する記載はない。また、上記各刊行物の記載を組み合わせても、同主要構成を導くことはできない。
  そして、本願各発明は、上記主要構成を備えることにより、明細書の段落【０００６】（前記平成１８年１月２３日付けでした手続補正により補正）に記載された
「水平走査終了パルスの入力をもって水平ブランキング期間相当のカウント値のカウントを開始するカウンタを備え、そのカウント値が水平ブランキング期間相当のカウント値となったことをもって、水平走査終了パルスの入力をもって停止された水平駆動クロックの水平走査回路への供給を再開させるので、無駄な電力が水平走査回路において消費されることをなくし、固体撮像装置の低消費電力化を実現でき、且つ、１水平走査期間毎に外部から水平走査開始パルスの供給を不要とし得ると共に、カウンタとしては、最低限、水平ブランキング期間相当のカウント値をカウントすればよく、カウンタの回路規模を抑えることが可能となる。」
という、上記各刊行物の記載からは予測し得ない技術的効果を奏するものと認めることができる。
  したがって、そのような主要構成を備える本願各発明が、査定で引用された上記刊行物１に記載された発明および刊行物２に示されるような周知技術に基づいて当業者が容易に発明をすることができたものであるとすることはできない。
　
［２−２］上記各刊行物の記載事項
  以下に、本願各発明との関連でみた上記各刊行物の記載事項をみておく。これら記載事項は、上記のとおり、いずれも本願各発明の前記主要構成を開示もしくは示唆するものとは認め得ない。
　イ．刊行物１（特開昭５９−６９７９３号公報）
「２　特許請求の範囲
　Ｘ行Ｙ列のマトリクスパネルと、マトリクスパネルを駆動するシフトレジスタとを備え、このシフトレジスタに加えるシフトクロック信号をシフトレジスタ動作が不要時に、停止させることを特徴とするマトリクスパネル駆動装置。」（第１頁特許請求の範囲の項）
「本発明は、マトリクス型表示装置や撮像装置の駆動回路に用いられるシフトレジスタに与えられるシフトクロックの発生装置に関する。」（第１頁左下欄１０〜１２行目）
「第２図の駆動装置では、端子１６からシフトクロックが常に供給され、シフトレジスタに加えられている。・・・（中略）・・・例えばテレビ表示に必要となる水平クロック周波数５ＭＨｚのクロックを常に印加するとなると、その消費電力は無視できない。
　以上、マトリクス型表示装置について述べてきたが、第１図と類似したマトリクス型撮像装置についても同様である。
　本発明は、上記した従来技術の欠点を緩和し、消費電力の低減を、簡単な付加装置で実現したマトリクスパネル駆動装置を提供することにある。
  この目的を達成するために、本発明では、表示に必要のない期間、例えばテレビ表示における帰線期間等の間、シフトレジスタにクロックパルスを加えないようにしたことを特徴とする。
　本発明の一実施例を第４図に示す。・・・（中略）・・・この動作を、第５図の各部波形図を用いて、以下に説明する。
　端子１１に表示開始パルス波形C、端子１６にクロック波形を入力すると、従来例において説明したように、NORゲート１４から波形Fから出力され、シフトレジスタ１０の入力端子に加えられる。ここでは、端子１８及び１９は論理０レベルが入力されているとする。SRラッチ１７に波形Fのシフトレジスタ１０起動パルスが加わると、SRラッチがセットされ、波形Ｉが出力される。このため、シフトレジスタ１０に、クロック波形Ａと波形ＩのNORをとった。波形Ｊで示される逆相クロックが入力される。従って、従来例と同様に、クロックに同期してパルスが順次送られて行く波形Ｇが得られる。ここで従来例にはない、駆動出力最終段の次のｎ＋１段目の出力波形Ｈで、SRラッチ１７をリセットする、すなわち、逆相クロック波形Ｊの立ち上がりで波形Ｈが出力され、SRラッチ出力波形Ｉが立ち上がり、シフトレジスタ１０に印加されるクロック波形Ｊが停止する。そして、次に表示開始パルス波形が来て、波形Ｆが立上がるまで、すなわち波形Ｉが論理１の期間、シフトレジスタ１０にはクロックが印可されず、静的状態となり消費電力が小さくなる。」（第２頁左上欄９行目〜同頁右下欄１行目）
　刊行物１には、帰線期間ではシフトレジスタへのクロックパルスの供給を停止して電力節減を図ること、及びこれをマトリクス型撮像装置へ適用することは記載されているが、本願各発明の上記主要構成を開示もしくは示唆する記載はない。
　ロ．刊行物２（特開平５−２３６３４４号公報）
「(57)【要約】
【目的】　複数の光学系から得られた光学像を種々の方式で合成することができる多眼式カメラを提供することである。
【構成】　複数の光学系４ａ、４ｂおよび４ｃから得られた光学像の各々に対応した複数の電気信号が切換器５に入力される。一方、マイコン９から切換信号発生器１２にモードデータ、水平画角データおよび垂直画角データがシリアル情報として入力される。切換信号発生器１２は、これらのシリアル情報に基づいて、切換器５に入力された電気信号の各々を制御し、これらの電気信号を合成してエンコーダ７から映像信号として出力する。」
「【００２０】図４の（１）は、図３における水平画角信号発生部１７の構成を示す内部ブロック図であり、図４の（２）は、図３の垂直画角信号発生部１９の内部構成を示すブロック図である。
【００２１】図５は、図４の（１）および（２）の画角信号発生部の動作タイミングを示す信号波形図である。
【００２２】なお水平画角信号発生部と垂直画角信号発生部とはその動作は基本的に同様であるので、以下の説明では、水平画角信号発生部を中心として図５の信号波形図を参照しながら説明する。
【００２３】カウンタＡ２３ａおよびデコーダ２４ａは、水平同期信号ＨＤに同期してリセットされ、そのリセットパルスが入力されてから、ブランキング期間に相当する時間動作する。カウンタ２３ａのクロックは、ＣＣＤを駆動しているクロックＦｃｋを使用するが、垂直画角信号発生部にあっては、このクロックとしては、水平同期信号を使用する。　カウンタＢ２５ａ、一致回路２６ａおよびフリップフロップ回路２７ａはカウンタＡ２３ａと同じクロックＦｃｋによって動作し、デコーダ２４ａの出力によってリセットされてから、映像期間に相当する時間の間動作し、その後動作を停止する。一致回路２６ａは、水平画角データとカウンタＢ２５ａの出力とを比較し、一致したときにパルスをフリップフロップ２７ａに出力する。フリップフロップ２７ａは、出力されたパルスによってセットおよびリセットを繰返すように動作する。このようにしてフリップフロップ２７ａから出力された信号が、水平画角信号となる。このように、カウンタＡ２３ａとデコーダ２４ａとはブランキング期間発生部として機能し、カウンタＢ２５ａ、一致回路２６ａおよびフリップフロップ２７ａは画角信号発生部として機能する。」
　刊行物２には、水平帰線期間に相当するカウント値をカウントするカウンタを用いて水平帰線期間を定めることは記載されているが、本願各発明の上記主要構成を開示もしくは示唆する記載はない。
　
［３］その他の理由について
  また、上記査定の理由以外に、本願各発明が特許を受けることができないものであるとすべき理由を発見しない。
　
【第４】　むすび
　以上のとおりであるから、原査定の理由によっては本願を拒絶することはできない。
　また、他に本願を拒絶すべき理由を発見しない。
　よって、結論のとおり審決する。